(57)【要約】【課題】複数の読取書込装置の少なくとも１つにより記録媒体に対して予め定められた情報を書き込む場合に、書き込み対象とする記録媒体を容易に特定することができる読取書込ユニット、媒体管理システムおよびプログラムを提供する。【解決手段】複数の記録媒体５２が配置された基材５０に、複数の読取書込装置２２により予め定められた情報を書き込む場合に、各読取書込装置２２の識別情報と各読取書込装置２２が書き込むべき記録媒体５２の位置に対応する情報とを関連付けて記憶部３３に記憶しておき、識別情報を用いて書き込み対象である記録媒体を特定することにより、個々の読取書込装置２２とその読取書込装置２２が書き込むべき記録媒体５２との対応付けを行なう。【選択図】図７
2013250954.tif 000002
【特許請求の範囲】
【請求項１】
複数の記録媒体の各々が接触または近接される複数の位置に対応して設けられ、前記複数の位置に対応する位置を示す対応情報がそれぞれ記録された複数の記憶素子から対応する前記対応情報を読み取る読取手段、前記記録媒体に対して予め定められた情報を書き込む書込手段、および自身を識別する識別情報を記憶する記憶手段、を各々具備する複数の読取書込装置を有する読取書込ユニットと、
前記読取書込装置の各々が読み取った前記対応情報を、当該対応情報を読み取った読取書込装置の前記識別情報に関連付けて記憶する記憶部と、
読取書込装置が前記予め定められた情報を書き込む記録媒体を、前記記憶部に記憶された前記対応情報に対応する前記識別情報に基づいて特定する特定部と、
を含む媒体管理システム。
【請求項２】
前記複数の記録媒体は、単体構成された状態で情報の読み取りおよび書き込みが行なわれる請求項１に記載の媒体管理システム。
【請求項３】
前記複数の記憶素子は、各々前記複数の記録媒体のそれぞれに設けられている請求項１または請求項２に記載の媒体管理システム。
【請求項４】
前記複数の記憶素子は、各々対応する前記読取書込装置に隣接して固定されている請求項１または請求項２に記載の媒体管理システム。
【請求項５】
前記複数の読取書込装置のそれぞれが前記記録媒体に対して前記予め定められた情報を書き込む際に、他の読取書込装置の前記記憶素子からの対応情報を遮蔽する遮蔽手段をさらに含む請求項４に記載の媒体管理システム。
【請求項６】
複数の記録媒体の各々が接触または近接される複数の位置に対応して設けられ、前記複数の位置に対応する位置を示す対応情報がそれぞれ記録された複数の記憶素子から対応する前記対応情報を読み取る読取手段、前記記録媒体に対して予め定められた情報を書き込む書込手段、および自身を識別する識別情報を記憶する記憶手段、を各々具備する複数の読取書込装置と、
前記対応情報と前記識別情報とを、前記複数の読取書込装置ごとに関連付けて記憶する記憶部と、
を含む読取書込ユニット。
【請求項７】
複数の記録媒体の各々が接触または近接される複数の位置に対応して設けられ、前記複数の位置に対応する位置を示す対応情報がそれぞれ記録された複数の記憶素子から対応する前記対応情報を読み取る読取手段、前記記録媒体に対して予め定められた情報を書き込む書込手段、および自身を識別する識別情報を記憶する記憶手段、を各々具備する複数の読取書込装置の各々が読み取った前記対応情報を、当該対応情報を読み取った読取書込装置の前記識別情報に関連付けて記憶する記憶ステップと、
読取書込装置が前記予め定められた情報を書き込む記録媒体を、前記記憶部に記憶された前記対応情報に対応する前記識別情報に基づいて特定する特定ステップと、
を備えた処理をコンピュータに実行させるための媒体管理プログラム。
【発明の詳細な説明】
【技術分野】
【０００１】
本発明は、読取書込ユニット、媒体管理システムおよびプログラムに関する。
【背景技術】
【０００２】
特許文献１には、複数の非接触式ＩＣカードリーダを用いる発明として、個別番号が付与された複数の非接触式ＩＣカードリーダを電気錠が設けられた扉近傍の壁に並べて埋設し、各非接触式ＩＣカードのＩＤ番号と複数の非接触式ＩＣカードリーダ番号との対応関係をデータ蓄積部に記憶しておき、自己の所持する非接触式ＩＣカードのＩＤ番号に対応する、特定番号の非接触式ＩＣカードリーダの埋設部位を知っている正規の所持者が、その特定番号の非接触式ＩＣカードリーダにかざすことにより施錠された電気錠が解錠し、埋設部位を知らない不正所持者が複数の非接触式ＩＣカードリーダ近辺にかざしても電気錠が解錠することのないようにしたセキュリティシステムが開示されている。
【先行技術文献】
【特許文献】
【０００３】
【特許文献１】特開２００４−１４５４３７号公報
【発明の概要】
【発明が解決しようとする課題】
【０００４】
本発明は、複数の読取書込装置の少なくとも１つにより記録媒体に対して予め定められた情報を書き込む場合に、書き込み対象とする記録媒体を容易に特定することができる読取書込ユニット、媒体管理システムおよびプログラムを提供することを目的とする。
【課題を解決するための手段】
【０００５】
上記目的を達成するために、請求項１に記載の媒体管理システムは、複数の記録媒体の各々が接触または近接される複数の位置に対応して設けられ、前記複数の位置に対応する位置を示す対応情報がそれぞれ記録された複数の記憶素子から対応する前記対応情報を読み取る読取手段、前記記録媒体に対して予め定められた情報を書き込む書込手段、および自身を識別する識別情報を記憶する記憶手段、を各々具備する複数の読取書込装置を有する読取書込ユニットと、前記読取書込装置の各々が読み取った前記対応情報を、当該対応情報を読み取った読取書込装置の前記識別情報に関連付けて記憶する記憶部と、読取書込装置が前記予め定められた情報を書き込む記録媒体を、前記記憶部に記憶された前記対応情報に対応する前記識別情報に基づいて特定する特定部と、を含むものである。
【０００６】
また、請求項２に記載の発明は、請求項１に記載の発明において、前記複数の記録媒体が、単体構成された状態で情報の読み取りおよび書き込みが行なわれるものである。
【０００７】
また、請求項３に記載の発明は、請求項１または請求項２に記載の発明において、前記複数の記憶素子が、各々前記複数の記録媒体のそれぞれに設けられているものである。
【０００８】
また、請求項４に記載の発明は、請求項１または請求項２に記載の発明において、前記複数の記憶素子が、各々対応する前記読取書込装置に隣接して固定されているものである。
【０００９】
また、請求項５に記載の発明は、請求項４に記載の発明において、前記複数の読取書込装置のそれぞれが前記記録媒体に対して前記予め定められた情報を書き込む際に、他の読取書込装置の前記記憶素子からの対応情報を遮蔽する遮蔽手段をさらに含むものである。      
【００１０】
一方、上記目的を達成するために、請求項６に記載の読取書込ユニットは、複数の記録媒体の各々が接触または近接される複数の位置に対応して設けられ、前記複数の位置に対応する位置を示す対応情報がそれぞれ記録された複数の記憶素子から対応する前記対応情報を読み取る読取手段、前記記録媒体に対して予め定められた情報を書き込む書込手段、および自身を識別する識別情報を記憶する記憶手段、を各々具備する複数の読取書込装置と、前記対応情報と前記識別情報とを、前記複数の読取書込装置ごとに関連付けて記憶する記憶部と、を含むものである。
【００１１】
さらに、上記目的を達成するために、請求項７に記載の媒体管理プログラムは、複数の記録媒体の各々が接触または近接される複数の位置に対応して設けられ、前記複数の位置に対応する位置を示す対応情報がそれぞれ記録された複数の記憶素子から対応する前記対応情報を読み取る読取手段、前記記録媒体に対して予め定められた情報を書き込む書込手段、および自身を識別する識別情報を記憶する記憶手段、を各々具備する複数の読取書込装置の各々が読み取った前記対応情報を、当該対応情報を読み取った読取書込装置の前記識別情報に関連付けて記憶する記憶ステップと、読取書込装置が前記予め定められた情報を書き込む記録媒体を、前記記憶部に記憶された前記対応情報に対応する前記識別情報に基づいて特定する特定ステップと、を備えた処理をコンピュータに実行させるためのものである。
【発明の効果】
【００１２】
請求項１、請求項６および請求項７に記載の発明によれば、本発明を適用しない場合に比較して、複数の読取書込装置の少なくとも１つにより記録媒体に対して予め定められた情報を書き込む場合に、書き込み対象とする記録媒体を容易に特定することができるという効果が得られる。
【００１３】
請求項２に記載の発明によれば、複数の記録媒体が、単体構成された状態で情報の読み取りおよび書き込みが行なわれる構成を有しない場合に比較して、記録媒体の取り扱いが容易になるという効果が得られる。
【００１４】
請求項３に記載の発明によれば、複数の記憶素子が、各々複数の記録媒体のそれぞれに設けられていない場合に比較して、書き込み対象とする記録媒体を特定する工程を簡略化し、コストを抑えることができるという効果が得られる。
【００１５】
請求項４に記載の発明によれば、複数の記憶素子が、各々対応する読取書込装置に隣接して固定的に設けられていない場合に比較して、構成を簡略化しコストを抑えるということができるという効果が得られる。
【００１６】
請求項５に記載の発明によれば、本発明の遮蔽手段を有しない場合に比較して、記録媒体と情報のやりとりを行なう際の混信を防止することができるという効果が得られる。
【図面の簡単な説明】
【００１７】
【図１】第１の実施の形態に係る読取書込システムの全体的な構成を示す構成図である。
【図２】第１の実施の形態に係る読取書込システムの電気的な構成を示すブロック図である。
【図３】第１の実施の形態に係るリーダライタの電気的な構成を示すブロック図である。
【図４】第１の実施の形態に係るリーダライタユニットとＩＣカード基材の構成を示す平面図ある。
【図５】第１の実施の形態に係るＩＣカード基材のリーダライタユニットによる読み取り・書き込みを行なう状態を示す平面図ある。
【図６】第１の実施の形態に係る位置特定用基材の構成を示す平面図である。
【図７】第１の実施の形態に係る初期設定処理プログラムの処理の流れを示すフローチャートである。
【図８】第１の実施の形態に係る位置特定用基材をリーダライタユニットに位置合せした状態を示す平面図である。
【図９】第１の実施の形態に係る対応テーブルの構成を示す模式図である。
【図１０】第１の実施の形態に係る書込処理プログラムの処理の流れを示すフローチャートである。
【図１１】第２の実施の形態に係るリーダライタユニットの構成を示す平面図である。
【図１２】第３の実施の形態に係る位置特定用ラベルの構成を示す平面図である。
【発明を実施するための形態】
【００１８】
以下、図面を参照して、本発明を実施するための形態を詳細に説明する。
【００１９】
［第１の実施の形態］
まず、図１を参照して、本実施の形態に係る媒体管理システムとしての読取書込システム１０の全体的な構成を説明する。本実施の形態では、本発明を、複数の記録媒体が一体的に設けられた基材に、複数の読取書込装置により一括して予め定められた情報を書き込む形態に適用した形態例について説明する。
【００２０】
同図に示すように、本実施の形態に係る読取書込システム１０は、記録媒体としてのＩＣカード等に対して読み取り・書き込みを行なう読取書込ユニットとしてのリーダライタユニット２０、リーダライタユニット２０を制御する制御用パーソナルコンピュータ３０、リーダライタユニット２０と制御用パーソナルコンピュータ３０とを接続する接続系としての、中継ハブ４０、中継基板４２、および配線４４を含んで構成されている。
【００２１】
リーダライタユニット２０は、同図に示すように、複数（本実施の形態では例えば８個）の読取書込装置としてのリーダライタ２２Ａ、２２Ｂ、２２Ｃ、２２Ｄ、２２Ｅ、２２Ｆ、２２Ｇ、２２Ｈを含んで構成されている（図４参照。以下、各リーダライタを区別しない場合には、単に「リーダライタ２２」と称する。）。各々のリーダライタ２２は、自身に対応するＩＣカードに対応する各種情報の読み取り・書き込みが可能な位置（以下、「アクセス位置」という。）に配置されたときに、読み取り・書き込みを行なう読取手段としての読取部２６、書込手段としての書込部２８をそれぞれ備えている（図４参照。）。そして、各リーダライタ２２は、識別情報としての製造機器番号を、内部の記憶部としての後述するメモリ９４（図３参照。）に記憶するなどして保持しており、その製造機器番号を外部から読み出すように構成されている。
【００２２】
中継ハブ４０、および中継基板４２は、パーソナルコンピュータ３０の接続ポートを、リーダライタ２２の個数分だけ分岐するために設けられている。接続ポートとしては、例えばＵＳＢインタフェースを用いる。
【００２３】
図２は、読取書込システム１０の電気的な構成を示すブロック図である。同図において、パーソナルコンピュータ３０は、ＣＰＵ（中央処理装置）３１、メモリ３２、記憶装置３３、ＵＩ（ユーザインタフェース）装置３４、通信ＩＦ（インタフェース）３５を備え、これらの構成要素は制御バス３６を介して互いに接続されている。リーダライタユニット２０は、外部の装置等との間でデータの送信および受信を行なう通信ＩＦ３５を介して制御用パーソナルコンピュータ３０と接続されている。
【００２４】
ＣＰＵ３１は、メモリ３２または記憶装置３３に記憶された制御プログラムに基づいて予め定められた処理を実行し、リーダライタユニット２０の動作を制御する。ＵＩ装置３４は、タッチパネル、液晶ディスプレイ、およびキーボード等を含み、予め定められた処理を実行する際の制御命令の入力等を行なうものである。
【００２５】
なお、本実施の形態では、ＣＰＵ３１は、メモリ３２または記憶装置３３内に記憶された制御プログラムを読み出して実行するものとして説明するが、当該プログラムをＣＤ−ＲＯＭ等の記憶媒体に記憶してＣＰＵ３１に提供することも可能である。
【００２６】
図３に、本実施の形態に係るリーダライタ２２の電気的な構成を示すブロック図を示す。
リーダライタ２２は、アンテナ９６、ＩＣカード等にアンテナ９６を介して無線通信によりデータを伝送する送信器９２、ＩＣカード等からの無線通信による応答信号等を受信する受信器９３、ＩＣカード等から読み取ったＩＤ（ＩＤｅｎｔｉｆｉｃａｔｉｎ）情報等を記憶する記憶手段としてのメモリ９４、パーソナルコンピュータ３０とデータの送信・受信を行なう通信ＩＦ９５、およびこれらを制御するＣＰＵ９１を含んで構成されている。本実施の形態では先述した製造機器番号が、メモリ９４に記憶されている。
【００２７】
図４および図５を参照して、本実施の形態におけるリーダライタユニット２０によるＩＣカードの読み取り・書き込みの動作について説明する。
【００２８】
図４を参照して、先述したように、リーダライタユニット２０は各リーダライタ２２Ａないし２２Ｈが一定の間隔で配置されて構成されている。そして、各リーダライタ２２は、それぞれ読取部２６および書込部２８を備えており、ＩＣカードがそれぞれの各リーダライタ２２において無線通信によるアクセスが可能な位置に配されたときに、読み取り・書き込みが行なわれる。
【００２９】
本実施の形態では、ＩＣカードが多面付けされた基材であるＩＣカード基材に対して、一括して予め定められたデータを読み取ったり、書き込んだりすることを想定している。したがって、ＩＣカード基材上の個々のＩＣカードの位置と各リーダライタ２２の配置関係は対応している。また、予め定められたデータは各カードで同一の場合もあるし、各カードによって異なる場合もある。
面付けの数としては、Ａ４サイズの大きさのＩＣカード基材上で、例えば８ないし１０枚である。
【００３０】
図４に示すように、多面付けされたＩＣカード基材５０は、複数のＩＣカード５２ａ、５２ｂ、５２ｃ、５２ｄ、５２ｅ、５２ｆ、５２ｇ、５２ｈ（以下、各ＩＣカードを区別しない場合には、単に「ＩＣカード５２」と称する。）の集合体（本実施の形態では８枚）として形成されている。そして、各ＩＣカード５２は各々記憶素子としてのＩＣチップ（ＩＣタグ）５４ａ、５４ｂ、５４ｃ、５４ｄ、５４ｅ、５４ｆ、５４ｇ、５４ｈ（以下、各ＩＣチップを区別しない場合には、単に「ＩＣチップ５４」と称する。）を内蔵している。
【００３１】
ここで、ＩＣカード基材５０は、例えばＩＣカード基材本体を厚さ５０ないし５０００μｍのプラスチックを含んでなるフィルムとし、その内部に、一定間隔で配置された複数のＩＣチップ５４、および該ＩＣチップの各々に接続されるアンテナ等を含んで構成されている。
【００３２】
図５は、図４における白抜き矢印の方向に図示しない搬送ベルト等によってＩＣカード基材５０を移動させ、各リーダライタ２２によって読み取り・書き込み可能な位置（以下、「アクセス位置」という。）に、図示しない位置合わせ手段によって配置した場合の状態を平面図で示している。
【００３３】
同図に示すように、各ＩＣカード５２を対応するリーダライタ２２のアクセス位置に配置することにより、無線通信を用いた非接触方式で各ＩＣカード５２に予め定められたデータを書き込むようにする。この書き込みが終了したＩＣカード基材５０は、打ち抜き機で打ち抜いたり、あるいは裁断機で裁断したりすることにより、個別のＩＣカード５２とされる。
【００３４】
ここで、各リーダライタ２２により多面付けされた各ＩＣカード５２に予め定められたデータを書き込む場合、各リーダライタ２２と各ＩＣカード５２との対応付けをする必要がある。すなわち、特に各ＩＣカード５２に異なる個別データを書き込む場合には、リーダライタ２２Ａないし２２Ｈが、ＩＣカード５２ａないし５２ｈとそれぞれ個別に対応している必要がある。
【００３５】
本実施の形態では、この対応付けをマスタ基材となる位置特定用基材６０を用いて行なうようにしている。図６は、この位置特定用基材の平面図を示している。ＩＣカード基材５０と同様に、位置特定用ＩＣカード６２ａ、６２ｂ、６２ｃ、６２ｄ、６２ｅ、６２ｆ、６２ｇ、６２ｈ（以下、各位置特定用ＩＣカードを区別しない場合には、単に「位置特定用ＩＣカード６２」と称する。）を多面付けして作成している。また、各位置特定用ＩＣカード６２は、ＩＣカード５２に搭載されたＩＣチップ５４の代わりに、ＩＣチップ５４の位置と対応する位置に位置特定用ＩＣチップ６４ａ、６４ｂ、６４ｃ、６４ｄ、６４ｅ、６４ｆ、６４ｇ、６４ｈ（以下、各位置特定用ＩＣチップを区別しない場合には、単に「位置特定用ＩＣチップ６４」と称する。）を搭載している。
【００３６】
そして、各位置特定用ＩＣチップ６４には、多面付けされた位置特定用ＩＣカード６２の位置特定用基材６０上の位置に対応する情報（以下、「位置情報」と称する。）ａ、ｂ、ｃ、ｄ、ｅ、ｆ、ｇ、ｈが、図示しないライタを用いて予め書き込んである。このａないしｈは、多面付けされたＩＣカード基材５０上の位置に対応して予め定めておいた記号であり、例えばアルファベットａは、多面付けされたＩＣカード基材５０上の左上隅に対応させて付与しておく。この書き込みは、リーダライタユニット２０を用いて行なってもよい。
【００３７】
なお、位置情報は、位置を識別できればよいので、アルファベットに限らず任意の識別情報、例えば数字などを用いてもよい。また、多面付けされた位置にいかなる順番で情報を付与するかも任意である。
【００３８】
本実施の形態では、位置特定用基材６０を用いて、初期設定処理として各リーダライタ２２とＩＣカード基材５０上の位置の対応付けを行った後、ＩＣカード基材５０における各ＩＣカード５２に個別データ（むろん同一のデータであっても、異なるデータであってもよい。）を書き込む書き込み処理を行う。
【００３９】
以上のように構成された読取書込システム１０による初期設定処理等の各種処理は、プログラムを実行することにより、コンピュータを利用してソフトウェア構成により実現してもよい。また、ソフトウェア構成による実現に限らず、ハードウェア構成や、ハードウェア構成とソフトウェア構成の組み合わせによって実現してもよい。
【００４０】
以下では、本実施の形態に係る読取書込システム１０が、上記プログラムを実行することにより各種処理を実現するものとされている場合について説明する。この場合、当該プログラムを制御用パーソナルコンピュータ３０に予めインストールしておく形態や、コンピュータにより読み取り可能な記録媒体に記憶された状態で提供される形態、有線または無線による通信手段を介して配信される形態等を適用してもよい。
【００４１】
次に、本実施の形態に係る読取書込システム１０の作用について説明する。
【００４２】
まず、図７を参照して、初期設定処理を実行する際の読取書込システム１０の作用を説明する。なお、図７は、この際に制御用パーソナルコンピュータ３０のＣＰＵ３１によって実行される初期設定処理プログラムの処理の流れを示すフローチャートであり、当該プログラムは、メモリ３２の予め定められた領域に記憶されている。
【００４３】
本初期設定処理プログラムの実行に先立ち、読取書込システム１０のユーザは、一例として図８に示すように、リーダライタユニット２０と位置特定用基材６０との位置合せをする。その後、ユーザは、初期設定処理プログラムの実行を指示する指示入力を、ＵＩ装置３４を介して行う。これに応じてＣＰＵ３１は、初期設定処理プログラムの実行を開始する。
【００４４】
まず、図７のステップＳ１００では、リーダライタ２２のカウンタ用変数ｉに１を代入し、次のステップＳ１０２では、予め定められたリーダライタ２２（以下、「処理対象リーダライタ」と称する。）に対して駆動用の電力の供給を開始する。
【００４５】
次のステップＳ１０４では、処理対象リーダライタの読取部２６により、処理対象リーダライタに対応する位置特定用基材６０上の位置特定用ＩＣチップ６４から、位置情報を読み込み、次のステップＳ１０６にて、処理対象リーダライタの製造機器番号を読み込む。
【００４６】
次のステップＳ１０８では、上記読み取った位置情報と製造機器番号とを対にして関連付け、図２における記憶装置３３に記憶し、次のステップＳ１１０にて処理対象リーダライタの駆動用の電力の供給を停止する。
【００４７】
次のステップＳ１１２では、カウンタ用変数ｉがリーダライタユニット２０に設けられたリーダライタ２２の数（本実施の形態では、８）に達したか否かを判定し、否定判定となった場合はステップＳ１１４に移行し、カウンタ用変数ｉの値を１だけインクリメントした後、上記ステップＳ１０２に戻る一方、肯定判定となった時点で本初期設定処理プログラムを終了する。なお、上記ステップＳ１０２からステップＳ１１４の処理を繰り返し実行する際には、それまでに処理対象としなかったリーダライタ２２を処理対象リーダライタとする。
【００４８】
ここで、位置情報の読み取りにおけるリーダライタ２２の指定順序は、重複なくすべてのリーダライタ２２を指定する限り、いかなる順序であってもかまわない。
【００４９】
以上の初期設定処理の結果、記憶装置３３には、一例として図９に示す位置情報とリーダライタ２２の製造機器番号との対応テーブルが記憶されることになる。
【００５０】
ここで、１セットの読取書込システム１０に複数台のリーダライタユニット２０を交換して接続する場合には、各リーダライタユニット２０ごとに、上記の位置情報と製造機器番号との対応テーブルを記憶装置３３に記憶しておき、リーダライタユニット２０を交換する都度そのリーダライタユニット２０に対応する対応テーブルを呼び出すようにすればよい。
また、リーダライタユニット２０内のリーダライタ２２のいずれかが故障した場合には、故障したリーダライタ２２を交換すると共に、上記の初期設定処理を再度行なえばよい。
さらに、ＵＳＢハブに接続されているコネクタを抜き差しした場合、パーソナルコンピュータ上の管理がまれに変わったり、または誰かが間違って抜いて違う箇所に接続してしまったケースでも、上記の初期設定処理を再度行なえばよい。
【００５１】
次に、図１０を参照して、上述のようにして初期設定処理を完了した読取書込システム１０を用いて、ＩＣカード基材５０上の各ＩＣカード５２に予め定められたデータを書き込む場合の処理である書き込み処理を実行する際の読取書込システム１０の作用を説明する。なお、図１０は、この際に制御用パーソナルコンピュータ３０のＣＰＵ３１によって実行される書込処理プログラムの処理の流れを示すフローチャートであり、当該プログラムがメモリ３２の予め定められた領域に記憶されていることは、上述した初期設定処理プログラムと同様である。また、ここでは錯綜を回避するため、どの位置に配置されたＩＣカード５２（以下、「書き込み対象ＩＣカード」と称する。）に対し、どのような情報（以下、「書込情報」と称する。）を書き込むかが制御用パーソナルコンピュータ３０に対して予め設定されている場合について説明する。
【００５２】
本書込処理プログラムの実行に先立ち、図４に示すように、リーダライタユニット２０とＩＣカード基材５０との位置合せをする。その後、ユーザは、書込処理プログラムの実行を指示する指示入力を、ＵＩ装置３４を介して行う。これに応じてＣＰＵ３１は、書込処理プログラムの実行を開始する。また、本実施の形態では、ＩＣカード基材５０上に面付けされたＩＣカード５２の全部（本実施の形態では８枚）を書き込み対象ＩＣカードとしてもよいし、その一部を書き込み対象ＩＣカードとしてもよい。ここでは、書き込み対象ＩＣカードの枚数をＮ枚（Ｎは、Ｎ≦８の自然数）とする。
【００５３】
まず、図１０のステップＳ２００では、リーダライタユニット２０に対して駆動用の電力の供給を開始しすべてのリーダライタを駆動して、次のステップＳ２０２では、書き込み対象ＩＣカードのカウンタ用変数ｉに１を代入する。
次のステップＳ２０４では、図９に示す対応テーブルを読み込み、次のステップＳ２０６にて、リーダライタユニット２０内の各リーダライタ２２の製造機器番号を読み込む。      
【００５４】
次のステップＳ２０８では、上記対応テーブルを参照し、書き込み対象ＩＣカードに対応するｉ番目のリーダライタ２２（以下、「処理対象リーダライタ」と称する。）の製造機器番号を指定して、リーダライタユニット２０に送信する。自身の製造機器番号を受信した処理対象リーダライタは書込部の動作準備を行い、完了したら準備完了信号を制御用パーソナルコンピュータ３０に送信する。そこで、次のステップＳ２１０にて準備完了信号の受信待ちを行い、次のステップＳ２１２で、処理対象リーダライタに対応する位置の書き込み対象ＩＣカードについての書込情報を、該処理対象リーダライタの製造機器番号を指定して送信し、該書き込み対象ＩＣカードに書き込む。
【００５５】
次のステップＳ２１４では、カウンタ用変数ｉがＮに達したか否かを判定し、否定判定となった場合はステップＳ２１６に移行し、カウンタ用変数ｉの値を１だけインクリメントした後、上記ステップＳ２０８に戻る。一方、肯定判定となった場合は、次のステップＳ２１８にてリーダライタユニット２０の駆動用の電力の供給を停止し、本書込処理プログラムを終了する。なお、上記ステップＳ２０８からステップＳ２１６の処理を繰り返し実行する際には、それまでに処理対象としなかったリーダライタ２２を処理対象リーダライタとする。
【００５６】
ここで、書き込み処理におけるリーダライタの製造機器番号の指定順序は、重複なくすべてのリーダライタの製造機器番号を指定するようにする限り、いかなる順序であってもかまわない。むろん、図９に示す位置情報に対応する製造機器番号を、位置情報の順番に指定してもかまわない。
【００５７】
以上のように本実施の形態によれば、複数の読取書込装置の少なくとも１つにより記録媒体に対して書込情報を書き込む場合に、書き込み対象とする記録媒体が容易に特定される。
【００５８】
［第２の実施の形態］
本実施の形態は、第１の実施の形態において各リーダライタ２２の位置の特定方法を変更したものである。本実施の形態では、第１の実施の形態における位置特定用基材６０を用いず、各リーダライタ２２の近傍に、位置情報を記憶したＲＦＩＤ（Ｒａｄｉｏ  Ｆｒｅｑｕｅｎｃｙ  ＩＤｅｎｔｉｆｉｃａｔｉｏｎ）を配置して、各リーダライタ２２の位置を特定するようにしている。また、本実施の形態では、各リーダライタ２２の間に電波を遮蔽するための電波遮蔽板を設けている。
【００５９】
図１１に、本実施の形態に係るリーダライタユニット７０の構成を示す平面図を示す。図４に示すリーダライタユニット２０との相違点は、各リーダライタ２２の近傍に、各々の位置情報を記憶したＲＦＩＤ２４Ａ、２４Ｂ、２４Ｃ、２４Ｄ、２４Ｅ、２４Ｆ、２４Ｇ、２４Ｈ（以下、各ＲＦＩＤを区別しない場合には、単に「ＲＦＩＤ２４」と称する。）を配置している点である。
【００６０】
本実施の形態におけるＲＦＩＤ２４は、各々位置情報を記憶したＩＣチップおよび該ＩＣチップに接続されたアンテナを含んで構成されている。そして、各々対応するリーダライタ２２から電力を供給されることにより、各ＲＦＩＤの位置情報を発信している。むろん、電力はリーダライタユニット２０から一括して供給してもよい。
【００６１】
本実施の形態ではさらに各リーダライタ２２の間に、電波遮蔽板７２が設けられている。この電波遮蔽板７２は、各ＲＦＩＤ２４の発信する信号が隣接したリーダライタ２２により読み込まれないようにする効果と同時に、各リーダライタ２２が読み込み・書き込みを行う際の混信防止の効果を有する。ただし、本電波遮蔽板７２は必須のものではなく、必要に応じて設ければよい。
【００６２】
本実施の形態におけるリーダライタ２２とＩＣカード基材５０上の位置との対応付けは、各リーダライタ２２が、自身の近傍に配置されたＲＦＩＤ２４から位置情報を読み込むことにより行う。すなわち、本実施の形態における初期設定処理の流れは、図７において、同図のステップＳ１０４で、各リーダライタ２２がその読取部により、自身に対応するＲＦＩＤ２４から位置情報を読み取るようにしたものである。
【００６３】
なお、本実施の形態における、初期設定処理を完了した後の書き込み処理の流れについては、図１０と同様であるので説明を省略する。
【００６４】
ここで、リーダライタユニット２２内のいずれかのリーダライタ２２が故障した場合には、故障したリーダライタを交換し、再度初期設定処理を行うことは第１の実施の形態と同様である。
【００６５】
本実施の形態によれば、位置特定用基材６０を別途準備する必要がないので、読み取り書き込み工程を簡略化しつつコストを抑えて、書き込み対象とする記録媒体が容易に特定される。
【００６６】
［第３の実施の形態］
本実施の形態は、本発明をＩＣタグに対する読取書込システムに適用した形態である。本実施の形態では、第１の実施の形態において、位置特定用基材６０の代わりに位置特定用ラベル８０を用いる。
【００６７】
図１２は、本実施の形態に係る位置特定用ラベル８０の構成を示す平面図を示している。位置特定用ラベル８０は、各々位置情報（図１２における記号ａないしｈ）を各々記憶した位置特定用ＩＣタグ８４ａ、８４ｂ、８４ｃ、８４ｄ、８４ｅ、８４ｆ、８４ｇ、８４ｈ（以下、各ＩＣタグを区別しない場合には、単に「ＩＣタグ８４」と称する。）をラベル用紙に内蔵して構成している。
【００６８】
本実施の形態における初期設定処理は、第１の実施の形態において示した図８と同様にして、リーダライタユニット２０と位置特定用ラベル８０との位置合わせを行った後、図７のフローチャートにしたがって初期設定処理プログラムを実行して行なう。
【００６９】
本実施の形態における書き込み処理は、ＩＣタグを複数配置して図１２と同様に構成されたＩＣタグラベルを、第１の実施の形態において示した図５と同様にして、リーダライタユニット２０に位置合わせした後に行なう。本実施の形態における書き込み処理の流れは図１０と同様であるので、説明を省略する。
【００７０】
本実施の形態によれば、ＩＣタグに対する読み取り・書き込みにおいても、書き込み対象とする記録媒体が容易に特定される。また、位置特定用基材としてのＩＣカード基材を用いることなく、簡易なＩＣタグ内蔵ラベルを採用しているので、コストの上昇が抑えられる。
【００７１】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００７２】
また、上記の実施の形態は、クレーム（請求項）に係る発明を限定するものではなく、また実施の形態の中で説明されている特徴の組み合わせの全てが発明の解決手段に必須であるとは限らない。前述した実施の形態には種々の段階の発明が含まれており、開示される複数の構成要件の組み合わせにより種々の発明が抽出される。実施の形態に示される全構成要件から幾つかの構成要件が削除されても、効果が得られる限りにおいて、この幾つかの構成要件が削除された構成が発明として抽出され得る。
【００７３】
例えば、上記各実施の形態では、制御用パーソナルコンピュータとリーダライタユニットとを中継ハブ等の接続系で接続した場合について説明したが、本発明はこれに限定されるものではなく、例えば、画像形成装置の一部としてこれらを一体的に構成する形態としてもよい。この場合、媒体管理システムのＣＰＵは画像形成装置のＣＰＵと兼用とする。      
【００７４】
また、上記各実施の形態では、非接触で読取書込ユニットの読取部、書込部に近接した場合にカードとのアクセスを行なう場合について説明したが、本発明はこれに限定されるものではなく、例えば、カードが読取部、書込部に接触された状態で当該カードとのアクセスを行なう形態としてもよい。この場合、カードに外部端子を設ける一方、カードを予め定められた読み書き位置に位置させた状態で当該カードの外部端子に接触する外部端子を読取書込装置に設けておき、各端子を介してカードにアクセスする。
【００７５】
また、上記各実施の形態では、位置特定用ＩＣチップ等を搭載した位置特定用基材等を用いて各リーダライタと書き込み対象ＩＣカード等の対応付けを行なう場合について説明したが、本発明はこれに限定されるものではなく、例えばＩＣカード基材上の書き込み対象ＩＣカードのＩＣチップに位置情報を記憶しておく形態でもよい。この場合書き込み対象ＩＣカードを搭載したＩＣカード基材自身で各リーダライタとの対応付けを行なう。
【００７６】
また、上記各実施の形態では、位置に対応する情報とリーダライタの製造機器番号との対応テーブルを制御用パーソナルコンピュータの記憶装置に記憶する場合について説明したが、本発明はこれに限定されるものではなく、例えば、当該対応テーブルを読取書込ユニット内の記憶装置に記憶する形態としてもよい。この場合、読取書込ユニット内に、制御用パーソナルコンピュータからアクセス可能な記憶装置を設けておく。
【００７７】
また、上記各実施の形態では、読取書込ユニットに設けられているリーダライタの数を８とした場合について説明したが、本発明はこれに限定されるものではなく、例えばこれを８以外の複数とする形態としてもよい。この場合、リーダライタの数に応じて、ＩＣカード基材あるいは位置特定用基材の面付け数を変える。
【００７８】
また、上記各実施の形態では、リーダライタが、ＩＣカード基材上のＩＣカードに予め定められた情報を単に書き込む場合について説明したが、本発明はこれに限定されるものではなく、例えば、書き込みを行なった後に再度読み込みを行って、書き込んだ情報と同じ情報を読み取ることができるか否か判定する検査工程を追加する形態としてもよい。この場合、例えば図１０のフローチャートにおいて、ステップＳ２１４とステップＳ２１８との間に当該検査工程を追加する。
【００７９】
また、上記第２の実施の形態では、リーダライタの位置を特定するために、位置に対応する情報を発信するＲＦＩＤを用いる場合について説明したが、本発明はこれに限定されるものではなく、自ら発信する機能を有しない、いわゆるパッシブ型のＩＣタグを用いる形態としてもよい。この場合、リーダライタの読取部から無線信号で電力を供給する。
【００８０】
また、上記第２の実施の形態では、ＲＦＩＤ２４による混信防止のために電波遮蔽板７２を用いる形態を例示して説明したが、混信をさらに確実に防止したい場合には、シールドケースで各ＲＦＩＤ２４を個別に覆うようにしてもよい。
【００８１】
さらに、上記の各実施の形態における各構成は、目的に応じ組み合わせて採用してもよい。例えば、ＩＣカードに各種情報を書き込む場合の上記第１の実施の形態において、位置特定用ＩＣカードの代わりに第３の実施の形態における位置特定用ラベルを用いてもよい。
【００８２】
その他、上記実施の形態で説明した読取書込システム１０の構成（図１，図２参照。）は一例であり、本発明の主旨を逸脱しない範囲内において不要な部分を削除したり、新たな部分を追加したりしてもよい。
【００８３】
さらに、上記実施の形態で説明した各種プログラムの処理の流れ（図７，図１０参照。）も一例であり、本発明の主旨を逸脱しない範囲内において不要なステップを削除したり、新たなステップを追加したり、処理順序を入れ替えたりしてもよい。
【符号の説明】
【００８４】
１０  読取書込システム
２０  リーダライタユニット
２２Ａから２２Ｈ  リーダライタ
２４Ａから２４Ｈ  ＲＦＩＤ
２６  読取部
２８  書込部
３０  制御用パーソナルコンピュータ
３１  ＣＰＵ
３２  メモリ
３３  記憶装置
３４  ＵＩ装置
３５  通信ＩＦ
３６  制御バス
４０  中継ハブ
４２  中継基板
４４  配線
５０  ＩＣカード基材
５２ａから５２ｈ  ＩＣカード
５４ａから５４ｈ  ＩＣチップ
６０  位置特定用基材
６２ａから６２ｈ  位置特定用ＩＣカード
６４ａから６４ｈ  位置特定用ＩＣチップ
７０  リーダライタユニット
７２  電波遮蔽板
８０  位置特定用ラベル
８４ａから８４ｈ  位置特定用ＩＣタグ
９１  ＣＰＵ
９２  送信器
９３  受信器
９４  メモリ
９５  通信ＩＦ
【図１】
2013250954.tif 000003
【図２】
2013250954.tif 000004
【図３】
2013250954.tif 000005
【図４】
2013250954.tif 000006
【図５】
2013250954.tif 000007
【図６】
2013250954.tif 000008
【図７】
2013250954.tif 000009
【図８】
2013250954.tif 000010
【図９】
2013250954.tif 000011
【図１０】
2013250954.tif 000012
【図１１】
2013250954.tif 000013
【図１２】
2013250954.tif 000014